(57)【特許請求の範囲】
【請求項１】
発光装置及び受光装置から構成される自動販売機用の光通信装置において、前記受光装置は受光した波形を発光装置からの原波形に補正する波形補正回路を含み、当該波形補正回路は、受光した波形の光有時間と光無時間とが等しくなるように受光した波形の光有時間を遅延して延長することを特徴とする自動販売機用の光通信装置。
【発明の詳細な説明】
【０００１】
【産業上の利用分野】
本発明は、光通信装置、特に自動販売機用の光通信装置に関する。
【０００２】
【従来の技術】
従来、自動販売機には価格設定、時刻設定等の設定操作や販売テスト、点検、売上集計等を指示するための操作部が設けられており、この操作部は自動販売機の内部に設けられた制御部とコードで結ばれている。これらの操作を行うときには自動販売機の前面をなす扉を開けて操作部を引き出し、扉の裏面に設けられた商品選択ボタンと引き出した操作部を用いて価格設定など各種の設定を行うようになっていた。また、制御部に記憶されている販売状況等の販売情報も操作部に読み出せるようになっていた。
【０００３】
しかし、このような従来の自動販売機にあっては、操作部を自動販売機の本体内部から引き出した状態では扉が半開きとなり、扉が不安定な状態の中で各種設定作業や販売情報の読出し作業を行わざるを得なかった。
【０００４】
そこで、操作部と制御部間で無線通信（赤外線等の光通信）により信号や情報の送受信を行って、操作部をワイヤレス化することが提案されている。
【０００５】
【発明が解決しようとする課題】
上記従来の自動販売機においては、赤外線等の光通信によりデータの収集を行っており、通信が調歩同期方式であること、屋外での使用となるために太陽光等の外来光の影響があること、更に自動販売機の汚れ等により、通信可能距離及び通信可能角度が制限されるという問題があった。
【０００６】
上記問題を解決するために、発光装置の発光強度を上げたり、受光装置の受信感度を上げることが考えられるが、この場合には、コストの上昇やノイズ対策が必要になる。
【０００７】
本発明の目的は、通信可能距離及び通信可能角度を拡大することができる自動販売機用の光通信装置を提供することにある。
【０００８】
【課題を解決するための手段】
上記課題を解決するために、請求項１に記載の発明は、発光装置及び受光装置から構成される自動販売機用の光通信装置において、前記受光装置は受光した波形を発光装置からの原波形に補正する波形補正回路を含み、当該波形補正回路は受光した波形の光有時間と光無時間とが等しくなるように受光した波形の光有時間を遅延して延長するように構成される。
【００１０】
【作用】
請求項１に記載の発明によれば、受光装置で受光した波形の光有時間が原波形の光有時間よりも短くなることに注目し、波形補正回路は、受光した波形の光有時間と光無時間とが等しくなるように受光した波形の光有時間を遅延して延長し、受光した波形を発光装置からの原波形に補正することができる。また、従来の受光装置はそのままにしておいて、波形補正回路を追加することにより、通信可能距離及び通信可能角度を拡大することができる。
【００１２】
【実施例】
次に、本発明の好適な実施例を図面に基づいて説明する。
【００１３】
図１に、自動販売機用の光通信装置の入出力回路を示す。同図において、（Ａ）は入力回路（受信側）を示し、（Ｂ）は出力回路（送信側）を示す。
【００１４】
図１（Ｂ）に示す出力回路において、出力電気信号１０及び発信器１２からの周波数信号１４は変調回路１６に供給され、該変調回路１６からの変調信号１７はトランジスタ１８のベース側２０に供給されている。トランジスタ１８のコレクタ側２２には発光素子（赤外線ＬＥＤ）２４が接続され、該発光素子２４から光り２６が射出される。
【００１５】
次に、図１（Ａ）の入力回路において。図１（Ｂ）の発光素子２４からの光２６は受光素子（フォトダイオード、フォトトランジスタ）２８で受光され、受光素子２８及び抵抗素子２９間の電気信号は、アンプ３０、検波回路３２、及び整形回路３４で順次処理される。
【００１６】
自動販売機用の光通信装置では、自動販売機本体に図１（Ａ）（Ｂ）の入力回路及び出力回路（光通信装置）が設けられ、一方、ハンディターミナルにも同様に図１（Ａ）（Ｂ）の入力回路及び出力回路（光通信装置）が設けられている。そして、自動販売機の販売データや作業データは、自動販売機本体の光通信装置とハンディターミナルの光通信装置との間で送受信が行われる。
【００１７】
なお、図２には、データ波形が示されており、（Ａ）は原波形を示し、（Ｂ）は変調波形を示す。図２において、“１”、“０”は、それぞれ『光有り』、『光無し』に対応する。
【００１８】
自動販売機本体のデータをハンディターミナルへあるいはハンディターミナルのデータを自動販売機本体に送信するため、半二重、調歩同期通信、通信速度４８００ｂｐｓで復調し、原波形に整形する。４８００ｂｐｓの仕様により通信を行っている。データを送出する側はデータを数十ＫＨｚで変調し、受信側で復調し原波形に整形する。４８００ｂｐｓのデータの波形は光の『有・無』がそれぞれデータ“１”、データ“０”に対応するため、このビットデータの長さの精度によりデータ受信が可能かどうかが決定される。
【００１９】
自動販売機本体の通信装置とハンディターミナルの通信装置間の通信距離が長くなった場合に、光有の状態すなわちデータ“１”の信号は、距離による減衰により受信回路のレベル以下となり、受信回路での検出ビットは原波形よりも短くなる。このため、受信部ではビット判定ができず通信は不可となる。
【００２０】
上記の問題点は通信距離だけでなく、通信角度、通信装置の汚れなどでも発生することがあるため、ハンディターミナルの操作を、自動販売機本体の受信部に近付けたり、光軸を合わせるなどの操作が必要な場合が出てくる。
【００２１】
この充分受信されていない検出ビットを原波形のビット長に近付ける補正をすることにより、通信距離、通信角度を拡大することが可能となる。
【００２２】
上記受光波形を原波形に補正するための波形補正回路が図３に示されている。
【００２３】
図３において、光入出力回路３６からの出力信号は、遅延回路（ＲＣ遅延回路、ワンショット回路）３８に供給され、該遅延回路３８により、出力信号４０では、受光波形の光有時間が遅延して延長される。
【００２４】
次に、遅延回路３８について説明する。
【００２５】
データ受信装置において光無（データ“０”）から光有（データ“１”）への変調時に、受信ビット長が変化してしまうような通信距離の長い場合には、光りの入力が少ないためデータ“１”の検出が遅れることで、データ“１”のビットが短くなる。
【００２６】
そこで、光有（データ“１”）の波形を、遅延回路３８により遅延し、光有、光無の両時間が同じになるように補正する。受光回路では、データ“１”からデータ“０”への変化のタイミングは、通信距離に関係なく一定となっているため、データ“１”の波形のみを補正すればよい。データのビットが“１”、“０”、“１”、“０”…と交互に並んだ時に、この“１”と“０”の受信波形のデューティが５０％に近付くように遅延回路３８の定数を決定する。
【００２７】
図４に遅延回路３８による遅延動作波形を示す。同図において、（Ａ）は、入力波形を示し、（Ｂ）は補正波形（遅延波形）を示す。
【００２８】
図４（Ａ）の入力波形ではデータ“１”の時間はＴであるが、遅延回路３８により入力波形が補正され、この結果、図４（Ｂ）に示されるように、入力波形の時間Ｔが遅延されて延長され、データ“１”の時間は（Ｔ＋ｔ）になる。なお、補正後にデータ“１”の時間（Ｔ＋ｔ）がデータ“０”の時間Ｔ’に等しくなるように、遅延延長時間ｔは設定されている。
【００２９】
【発明の効果】
以上説明したように、請求項１に記載の発明によれば、波形補正回路を設け、受光した波形の光有時間と光無時間とが等しくなるように受光した波形の光有時間を遅延して延長し、受光した波形を発光装置からの原波形に補正するので、通信可能距離及び可能角度を拡大できる光通信装置を実現できる。
【図面の簡単な説明】
【図１】自動販売機用の光通信装置の入出力回路の回路図である。
【図２】データ波形を示し、（Ａ）、（Ｂ）は、それぞれ、原波形及び変調波形の波形図である。
【図３】波形補正回路の回路図である。
【図４】遅延回路による遅延動作を示す波形図である。
【符号の説明】
３６  光入出力回路
３８  波形補正回路（遅延回路）
【図１】
0003627268.tif 000002
【図２】
0003627268.tif 000003
【図３】
0003627268.tif 000004
【図４】
0003627268.tif 000005